Podtech/llm-jp-corpus-v4-ja_patent huggingface dataset:
(57)【要約】      （修正有）【課題】眼鏡使用時に眼鏡が曇ることなく、剣道用面の内側に容易に脱着できる、飛沫感染防止用面マスクホルダーを提供する。【解決手段】面の内側にマスクを保持するための面マスクホルダーであって、上フレーム１には複数個の留め具３ａ、３ｂを有し、下フレーム２の下端形状は面の形状に沿って形成されている。上フレーム１と下フレーム２を三本の上下接続部で接続する。上下接続された接続部以外は開口部５ａ、５ｂとなっている。面マスクホルダーの取り付け位置は、面金最下部から、物見の下方横金までとする。面マスクホルダーは、背面部に飛沫感染防止素材のマスクを容易に脱着できる。【選択図】図１
0003228737.tif 000002
【実用新案登録請求の範囲】
【請求項１】
面の内側にマスクを保持するための面マスクホルダーであって、上フレームには複数箇所の留め具を有し、下フレームの下端形状は面の内側形状に沿って形成されており、上フレームと下フレームを三本の上下接続部で接続された面マスクホルダー。
【請求項２】
上フレームと下フレームに挟まれた部位のうち、上下接続部以外は開口部となっている請求項１に記載の面マスクホルダー。
【請求項３】
面が剣道用である請求項１または請求項２に記載の面マスクホルダー。
【請求項４】
背面部にマスクを自在に脱着できる請求項１ないし請求項３に記載の面マスクホルダー。
【請求項５】
請求項１ないし請求項４に記載の面マスクホルダーを、剣道用の面の面金最下部から物見の下方横金までに取り付けた剣道用の面。
【考案の詳細な説明】
【技術分野】
【０００１】本考案は例えば剣道で使用される面に関し、面金内側に脱着できる面マスクホルダーに関するものである。
【背景技術】
【０００２】剣道では、今般飛沫感染によるウイルス感染拡大防止のため、競技中のマスク着用を義務付けられた。従来は特許文献１にあるように、体の複数箇所を利用してマスクを固定し、鼻口部との皮膚に直接接触するように装着する技術は知られていた。
【先行技術文献】
【特許文献】
【０００３】
【特許文献１】特開２０１７−９５８４４
【考案の概要】
【考案が解決しようとする課題】
【０００４】しかしながら特許文献１記載の方法では剣道などの面を装着するスポーツにおいては適用ができなかった。剣道競技は、競技中発声を伴い、発声をする際に飛沫が発生することがある。また、激しい動きにより呼吸が荒く息苦しくなる。そのため発声、呼吸をするごとに口を開けるため競技者双方の鼻口部からの飛沫感染を防ぐ必要がある。しかし一般的なマスクは鼻口部の皮膚に直接接触するように装着するため発声、呼吸等の妨げになり、また発声、呼吸等による加湿により、眼鏡使用者は眼鏡が曇り視界を遮り、競技を続けることが不可能となる。【０００５】そこで、本考案は鼻口部と面マスクホルダーの間に一定の広さの空間を保つことにより、上記の課題を解決しようとするものである。
【課題を解決するための手段】
【０００６】本考案では、以下のように上記の課題を解決することができる。面の内側にマスクを保持するための面マスクホルダーであって、上フレーム１には複数箇所の留め具を有し、下フレーム２の下端形状は面の内側形状に沿って形成されている。上フレーム１と下フレーム２を三本の上下接続部で接続された面マスクホルダー。上フレーム１と下フレーム２に挟まれた部位のうち、上下接続部以外は開口部５ａ、５ｂとなっている。面は剣道用で、面マスクホルダー取り付け位置は面金最下部から物見の下方横金までとする。上記面マスクホルダーは、背面部にマスクを自在に脱着できる。
【考案の効果】
【０００７】面マスクホルダーの取り付け位置は、面金最下部内側から物見の下方横金までとする。これにより鼻口部は覆われ競技者双方からの飛沫を防ぐことができ、物見の下方横金までの範囲としたことで視界を遮ることはない。本考案の面マスクホルダーを取り付けることにより、鼻口部と面マスクホルダーを一定の広さの空間に保つことができるため口裂部の動きを妨げない。そのため剣道に必要な発声ができ、呼吸時の息苦しさもない。眼鏡使用時の呼吸等による加湿も防止できるため、眼鏡が曇ることなく競技ができる。また面マスクホルダーの背面部に飛沫感染防止素材のマスクを取り付けるため、面マスクホルダーを装着している際は競技者双方への飛沫感染防止ができる。またマスクの交換も容易にできるため、衛生面も保たれ、面マスクホルダー装着時は通常と変わらぬ稽古ができることを特徴とする面マスクホルダー。
【図面の簡単な説明】
【０００８】
【図１】本考案の面マスクホルダー
【図２】本考案の面マスクホルダーを面に取り付けたときの正面図
【考案を実施するための形態】
【０００９】以下、実施の形態を示す図面に基づき本考案を詳説する。図２の剣道用の面金６の内側に図１の面マスクホルダーを装着する。面マスクホルダーの下部先端は面金６の下部先端とおおよそ形状を合わせ成形されている。横金７に３ａ、３ｂの複数個の留め具を装着する。面マスクホルダーの装着方法としては請求項５の内容が好ましい。ここで物見とは、面の横金の隙間が目の位置にくる部分のことを指し、視界の確保をするところである。物見は二本の横金から作られる隙間であり、物見の二本の横金の隙間はほかの横金の隙間よりも若干広くなっている。従って面マスクホルダーの高さ方向の長さは物見を遮らない高さまでとし、二本の横金から形成されているうちの下方面金の位置が好ましい。一般的には、大人用面の面金の上から６本目と７本目の間を指し、少年用面の面金は上から５本目と６本目の間となっている。面マスクホルダーの背面部には脱着自在テープ等を張り付ける。この背面部とは図１の３ａ、３ｂの留め具のついてない裏側のことである。前記背面部に飛沫感染防止素材のマスクが脱着自在テープ等で固定されるため、鼻口部の皮膚が直接接触することはなくずれ落ちる心配もない。また上フレーム１と下フレーム２を三本の上下接続部で接続してあるうちの中間部の縦フレームにも脱着自在テープが張り付けられているため、装着したマスクが呼吸するごとに鼻口部へ吸い寄せられることなく一定の広さの空間の確保ができる。４ａ、４ｂの凹部は、面金６下部両端に装着する面ひもを固定するための面乳革装着場所であり、面マスクホルダーとの接触による面ひもの機能を妨げないように形成した。
【００１０】ここで、面乳革とは面に面ひもを取り付けるための革で、一般的に面金６の両端の下から四番目の横金に取り付ける。図１の面マスクホルダー背面部に張り付けられた脱着自在テープ等により、飛沫感染防止素材のマスクを容易に脱着できるようにした。これによりマスクが容易に交換できるため衛生面も保たれる。５ａ、５ｂは開口部になっているため、開口部範囲は飛沫感染防止素材のマスクのみ有するため、呼吸が容易にでき息苦しさを解消させることができる。
【符号の説明】
【００１１】１  上フレーム
２  下フレーム
３ａ、３ｂ  留め具
４ａ、４ｂ  凹部
５ａ、５ｂ  開口部
６  面金
７  横金
【図１】
0003228737.tif 000003
【図２】
0003228737.tif 000004
(57)【要約】      （修正有）【課題】大きな圧力をダイレクトに加えて円盤を飛ばすことができる飛行玩具を提供する。  【解決手段】ピン６を中心として開閉自在な一対のアーム３、４を備え、アームは、ピンから見て一方の側がグリップ部１６、１７で、他方の側が円盤を挟む挟持部８、９である。円盤１４を挟持部に保持するための突起１２が挟持部または円盤に設けられている。挟持部に円盤を挟みグリップを閉じると、円盤は挟持部に沿って移動し飛行する。【選択図】図１
0003228745.tif 000002
【実用新案登録請求の範囲】
【請求項１】
ピンを中心として開閉自在な一対のアームを備え、
前記ピンから見て一方の側が手で握るためのグリップ部となり、他方の側が円盤を挟む挟持部となるように、前記各アームが構成され、
かつ円盤を挟持部に保持するための保持手段が、前記各挟持部または前記円盤に設けられている飛行玩具。
【請求項２】
前記保持手段は前記各挟持部に設けられた突起であることを特徴とする、請求項１の飛行玩具。
【請求項３】
前記円盤が挟持部に沿って移動することをガイドするガイドが、前記各挟持部に設けられていることを特徴とする、請求項１または２の飛行玩具。
【請求項４】
前記挟持部間の幅が前記ピンから離れると共に増すように、前記各挟持部がカールしていることを特徴とする、請求項１〜３のいずれかの飛行玩具。    
【考案の詳細な説明】
【技術分野】
【０００１】
この考案は飛行する玩具に関する。
【背景技術】
【０００２】
円盤を左右両側から挟み込んで飛ばす玩具が知られている。例えば実開昭57-36995は、円盤をその円周に沿って左右2個所で挟み、円盤に圧力を加えて飛ばす玩具を開示している。
【考案の開示】
【考案が解決しようとする課題】
【０００３】
この考案の課題は、新たな構造の飛行玩具を提供することにある。
【課題を解決するための手段】
【０００４】
この考案の飛行玩具は、ピンを中心として開閉自在な一対のアームを備えている。アームは、ピンから見て一方の側が手で握るためのグリップ部となり、他方の側が円盤を挟む挟持部となる。そして円盤を挟持部に保持するための保持手段が、各挟持部または円盤に設けられている。
【０００５】
この考案では、円盤を一対の挟持部の間に挟み、保持手段で保持する。グリップ部を握り、ピンを中心にアームを回転させて閉じると、挟持部から円盤に圧力が加わる。この圧力が保持手段の保持力を超えると、円盤は挟持部から前方へ飛び出す。ピンを中心にアームを回転させて閉じるので、大きな圧力をダイレクトに円盤に加えることができ、簡単に円盤を飛ばすことができる。
【０００６】
好ましくは、保持手段は各挟持部に設けられた突起である。突起により円盤を挟持部間に簡単に保持できる。
【０００７】
好ましくは、円盤が挟持部に沿って移動することをガイドするガイドが、各挟持部に設けられている。円盤はガイドにガイドされて移動し、この間、円盤に圧力を加えて加速する。
【０００８】
好ましくは、挟持部間の幅が前記ピンから離れると共に増すように、一対の挟持部がカールしている。カールを設けると、円盤は挟持部から離れるまでにより長いストロークを移動するようになるので、円盤をより加速できる。
【考案を実施するための最良の形態】
【０００９】
以下に本考案を実施するための最適実施例を示す。
【実施例】
【００１０】
図１〜図４に実施例を示す。各図において、２は挟み状の射出器で、一対のアーム３，４を備え、アーム３，４はピン６を中心に開閉自在である。ピン６から見てアーム３，４の先端側が挟持部８，９で、円盤１４を挟持し、基端側がグリップ部１６，１７で、孔１８，１９に指を入れて挟持部８，９を開閉する。なお孔１８，１９は設けなくても良い。挟持部８，９には例えばレール状のガイド１０，１１があり、円盤１４をガイドする。また挟持部８，９の例えば対向する位置に、突起１２，１２が設けられ、大きな力で圧縮されるまで円盤１４の周面を保持する。突起１２は保持手段の例で、摩擦片などにより円盤１４の周面を保持しても良い。２０はグリップ部１６，１７の基部のストッパである。
【００１１】
ピン６の付近から挟持部８，９の内側（円盤１４側）に引いた接線を図１のＬ１，Ｌ２として鎖線で示す。挟持部８，９の内側及びガイド１０，１１の先端は接線Ｌ１，Ｌ２から外側（円盤１４から遠ざかる方向）へ向けて後退し、これらは外側へカールしている。
【００１２】
図２は突起１２，１２の周囲を拡大して示し、図３はガイド１０，１１の周囲を拡大して示す。一対のガイド１０，１１により円盤１４はガイドされ、突起１２，１２により挟持部８，９間に保持される。
【００１３】
円盤１４は例えばプラスチック製で、人に当たっても怪我をし難いようにする。また射出器２も、指を挟んでも怪我しにくいように、例えばプラスチック製である。円盤１４の形状は任意で、例えば中央に孔を開けてリング状にしたり、あるいは図３での円盤１４の上下双方あるいは一方に膨らんでいても良い。
【００１４】
円盤１４を挟持部８，９間に保持するための手段を、挟持部８，９ではなく、円盤自体に設けても良い。このような例を、図４の円盤４０として示す。円盤４０は周面に多数の突起４２を備え、突起４２が挟持部８，９に接して保持手段として作用する。
【００１５】
実施例の動作を説明する。円盤１４を挟持部８，９間にセットし、アーム３，４を閉じると、図２の矢印方向の圧力が円盤１４に加わる。アーム３，４を閉じる力がダイレクトに円盤１４に加わり、しかもピン６を中心とする梃子の原理で拡大して加わる。円盤１４は突起１２により保持され、圧力が所定値を超えると、円盤１４は突起１２を乗り越える。この後、円盤１４はガイド１０，１１にガイドされて移動し、移動の間も挟持部８，９が閉じ続けるので、挟持部８，９から円盤１４を押し出すように圧力が加わり続ける。また挟持部８，９は外側にカールしているので、挟持部８，９が閉じるまで長いストロークに渡って、円盤１４に圧力が加わる。これらのため、円盤１４は射出器２から前方に高速で飛び出し、例えば数ｍ程度飛行する。
【図面の簡単な説明】
【００１６】
【図１】実施例の飛行玩具の平面図
【図２】実施例での挟持部の突起を示す拡大部分断面図
【図３】実施例での挟持部の拡大断面図
【図４】変形例で用いる円盤の平面図
【符号の説明】
【００１７】
２          射出器
３，４      アーム
６          ピン
８，９      挟持部
１０，１１  ガイド
１２        突起
１４        円盤
１６，１７  グリップ部
１８，１９  孔
２０        ストッパ
４０        円盤
４２        突起
【図１】
0003228745.tif 000003
【図２】
0003228745.tif 000004
【図３】
0003228745.tif 000005
【図４】
0003228745.tif 000006
(57)【要約】      （修正有）【課題】尿を採取するポイントが探しやすく、片手でも安定した取り扱いができる採尿用使い捨てコップを提供する。【解決手段】使い捨てコップの開口部の一部に持ち手を付け、そこに穴を開けて指を入れられるようにする。そして、開口部を緩やかなカーブにカットして体にフィットするようにする。また、採尿コップに尿検査の試験紙を貼り付けて一体化する事によって尿試験コップにすれば、コップに尿を取るだけで簡単に尿検査（尿蛋白、尿血糖、尿潜血）をする事ができる。【選択図】図１
0003227310.tif 000002
【実用新案登録請求の範囲】
【請求項１】
この物品は、採尿用使い捨てコップの開口部の一部に持ち手を付けて、そこに穴を開け指に引っかけることにより特に女性（妊婦、肥満、老女）の方々に使いやすく使用できる便利な採尿用使い捨てコップを提案する
【請求項２】
請求項１で申請をした採尿用使い捨てコップに尿検査の試験紙（尿糖、尿蛋白、尿潜血）を貼り付け一体化にして、採尿をすれば簡単に尿検査をする事ができる。老若男女誰でも自宅等で簡単に尿検査が手軽にできる尿検査用使い捨てコップを提案する
【考案の詳細な説明】
【技術分野】
【０００１】この物品は病院や保険所などで尿検査用に使用される採尿用コップで男女問わず使用でき特に女性（妊婦、肥満、老女）が使いやすい。コップの開口部に持ち手を付け、そこに穴を開けて指を入れられるようにし、開口部分を緩やかなカーブにカットして体にフィットする採尿用コップである【０００２】上記で述べた持ち手付きコップに尿検査の試験紙を貼り付けて一体化したコップで採尿をすれば、簡単に尿検査をする事ができる。老若男女誰でも自宅等で簡単に尿検査が手軽にできるので高齢化社会の昨今、自分で健康管理するのに役立つ
【背景技術】
【０００３】現在、保健所や医療機関で尿検査をする場合、男女を問わず通常市販されている飲料用の紙制もしくはプラスチック制の使い捨てコップを利用している事が一般的だ【０００４】一般的な尿検査は、上記で述べた飲料用の紙コップなどで採尿した尿に尿検査の試験紙を浸して成分の検査をしている
【考案の概要】
【考案が解決しようとする課題】
【０００５】上記に述べた従来の尿検査は通常の使い捨てコップを渡されてそこに尿を採取する。特に女性は採取する時、尿が出てくるポイントが定まらない為、尿がコップの外に漏れて手に尿が掛かってしまう問題点がある【０００６】特に妊婦や太った女性や年配の女性達には、採取しづらい大きな問題である【０００７】入院などをした時、自分で尿の量を測りデーターを取る事がある。大きな採尿コップ（４００ｃｃ）で量が多くなり重くて使い捨てコップを落としてしまう事がある。特に年配の方は握力が弱くなり、また、手術を受けた直後は痛みと疲労で大きな採尿コップを持つのが困難である【０００８】従来の尿検査は使い捨てコップで採取した尿に試験紙を浸して成分を調べるか又は、直接尿を試験紙に掛けて調べる
【課題を解決するための手段】
【０００９】上記の課題を解決する為、通常の使い捨てコップの開口部の一部に持ち手を付け、そこに穴を開けて指を入れられるようにする。そして、開口部を緩やかなカーブにカットして体にフィットするようにする【００１０】その穴に指を入れて採尿コップを持つと、尿を採取するポイントを探しやすくなる。又、尿の量が多くなって採尿コップが重くなってもコップの穴に指を入れてホールドしているので採尿コップを落とす心配はない【００１１】上記に述べた採尿コップに尿検査の試験紙を貼り付けて一体化する事によって尿試験コップにする。尿試験コップに尿を取るだけで簡単に尿検査（尿蛋白、尿血糖、尿潜血）をする事ができる
【考案の効果】
【００１２】これにより男女問わず尿を採取しやすい形になり、片手でも滑ることなく極めて安定した取扱いができる【００１３】又、特に女性の場合（妊婦、肥満の女、老女）採尿時に持ち手の穴に指を入れる為、採尿コップが自由に動かせるので開口部をポイントに固定できるため尿の飛び散り、漏れを防止できる【００１４】持ち手付き紙コップに尿検査の試験紙を貼り付けて一体化したコップで採尿をすれば、簡単に尿検査をする事ができる。老若男女誰でも自宅等で簡単に尿検査が手軽にできるので、高齢化社会の昨今、自分で健康管理するのに役に立つ
【図面の簡単な説明】
【図１】  本物件の形態の使用時の斜面図である
【図２】  図１の正面図
【図３】  図１の右側面図
【図４】  図１の左側面
【図５】  図１の背面図
【図６】  図１の平面図
【符号の説明】［Ａ］  コップの持ち手に穴を開けた部分
［Ｂ］  尿検査の試験紙を貼り付ける
［Ｃ］  コップ開口部の最上部
［Ｄ］  コップ開口部側面のカーブ
［Ｅ］  コップ開口部の最下部
【図１】
0003227310.tif 000003
【図２】
0003227310.tif 000004
【図３】
0003227310.tif 000005
【図４】
0003227310.tif 000006
【図５】
0003227310.tif 000007
【図６】
0003227310.tif 000008
【手続補正書】
【提出日】令和2年4月16日(2020.4.16)
【手続補正１】
【補正対象書類名】実用新案登録請求の範囲
【補正対象項目名】全文
【補正方法】変更
【補正の内容】
【実用新案登録請求の範囲】
【請求項１】
採尿用使い捨てコップであって、
前記採尿用コップの開口部の一部に付けられ、指が入る位の穴が開けられた持ち手を有する採尿用使い捨てコップ。
【請求項２】
請求項１に記載の採尿用使い捨てコップであって、
尿糖、尿蛋白、尿潜血を検査する為の尿試験紙を前記採尿用コップに貼り付ける事で、前記尿試験紙と一体化された採尿用使い捨てコップ。
(57)【要約】      （修正有）【課題】リュック等にボールホルダーを取り付けて持ち歩く際にボールホルダーが安定せず揺れてしまい、人にぶつかったりしてしまうため、リュックやバック等に安定的に固定され、ボールホルダーを携帯しやすくするボールホルダーを提供する。【解決手段】ひも状のアタッチメントにより、ボールホルダー本体５を２か所で吊り上げ、別々の取り付け部に固定する。【選択図】図２
0003227355.tif 000002
【実用新案登録請求の範囲】
【請求項１】
ボールホルダー本体を２か所で吊り上げ、別々の取り付け部に固定するひも状のアタッチメントを有するボールホルダー。
【請求項２】
ボールホルダー本体を２か所で吊り上げ、別々の取り付け部に固定する二本のひも状のアタッチメントを有するボールホルダー。
【請求項３】
前記アタッチメントには、長さ調整具を設けた請求項１または２のボールホルダー。
【考案の詳細な説明】
【技術分野】
【０００１】
本考案はボールホルダー、特にリュックやバック等に安定的に取り付けるためのボールホルダーに関するものである。
【背景技術】
【０００２】
従来のボールホルダーの持ち運び方は、下記の特許文献１のように、ボールホルダー本体に設けたひも状のアタッチメントを、リュックやバック等の1か所に取り付けている。
【先行技術文献】
【特許文献】
【０００３】
【特許文献１】実用新案登録第３１９８８２４号公報
【考案の概要】
【考案が解決しようとする課題】
【０００４】
従来のボールホルダーの持ち運び方は、ボールホルダーのひも状のアタッチメントをリュックやバック等の1か所に取り付けるので、ボールホルダーがぶらぶらと揺れて不安定であり、すれ違う人や物にぶつかることがある。
【０００５】
そのために、ボールホルダーをリュックやバックまたは腰ベルトやズボンのベルト輪等の取り付け部に取り付けて歩く際に、ボールが前後左右へ大きく揺れる現象を抑えようとしたボールホルダーを提供するものである。
【０００６】
また、様々な形状の取り付け部に取り付けられるような柔軟な構造であるようにしたボールホルダーを提供するものである。
【課題を解決するための手段】
【０００７】
本考案は、上記の課題を解決するために、下記のボールホルダーを提供するものである。
（１）ボールホルダー本体を２か所で吊り上げ、別々の個所に固定するひも状のアタッチメントを有するボールホルダー。
（２）ボールホルダー本体を２か所で吊り上げ、別々の個所に固定する二本のひも状のアタッチメントを有するボールホルダー。
（３）前記アタッチメントには、長さ調整具を設けた上記（１）または（１）のボールホルダー。
【考案の効果】
【０００８】
ボールホルダーをリュックやバックまたは腰ベルトやズボン輪等に取り付けて歩く際にボールが前後左右へ大きく揺れる現象を抑えたボールホルダーを提供することができる。
【図面の簡単な説明】
【０００９】
【図１】本発明のアタッチメントの全体図を示している。
【図２】本発明のアタッチメントとボールホルダー本体を接続した図を示している。
【図３】本発明のアタッチメントを使用しボールホルダーを持ち運ぶ使用例の図を示している。
【図４】本発明のアタッチメントを使用しボールホルダーを持ち運ぶ別の使用例の図を示している。
【図５】図４の側面図を示している。
【考案を実施するための形態】
【００１０】
本発明のボールホルダーは、ボールホルダー本体と、そのボールホルダー本体を吊り上げるアタッチメントを有するボール保持具。
【００１１】
本発明のアタッチメントは、ボールホルダー本体を吊り上げる取り付け具で、
ひも状になっている。アタッチメントの端部に、カラビナを設けると、ボールホルダー本体または取り付け部と接続・取り外しができるので好ましい。
アタッチメントの本数は、1本以上で、１本の場合は、ボールホルダー本体の固定ができる取り付け部の少なくとも２か所を経由して取り付けられている。
【００１２】
本発明のアタッチメントの固定は、少なくとも２か所で、取り付け部間の間隔が狭まらないようにする。
【００１３】
以下、本発明の実施形態を図面に基づいて説明する。
図１では、アタッチメントは、ひも１、ひも１の長さを調整するサイズ調整具２、ひもを留めるカシメ３、ボールホルダー本体５に接続するカラビナ４とから構成される。
【００１４】
ひも１は、布、革、化学繊維などの素材でできており、リュックやバック等のショルダーや手持ち部の取り付け部に巻き付け、サイズ調整具２にて留めても滑りにくく外れにくい素材でできている。
【００１５】
サイズ調整具２はプラスチック、金属などの素材からできており、リュックやバック等のショルダーや手持ち部の取り付け部に巻き付けたひも１を留め、長さを調整したり、ボールホルダー本体５の位置を調整する。
【００１６】
かしめ３は金属の素材からできており、ひも１がサイズ調整具２から外れないように、ひもを二重にした部分をかしめ３で留める。また、カラビナ４とひも１の接続に用いる。
【００１７】
カラビナ４は金属の素材からできており、アタッチメントの端部に設け、ボールホルダー本体または取り付け部と接続・取り外しのためのものである。
【００１８】
ボールホルダー本体５は、布、革、化学繊維などの素材でできており、様々なサイズのボールを収納するものである。
【００１９】
ひも１をサイズ調整具２の部分で外して、リュックやバック等のショルダーや手持ち部の取り付け部に巻き付けて接続する。カラビナ４にボールホルダー本体５を接続して持ち歩く。
【符号の説明】
【００２０】
１  ひも
２  サイズ調整具
３  カシメ
４  カラビナ
５  ボールホルダー本体
【図１】
0003227355.tif 000003
【図２】
0003227355.tif 000004
【図３】
0003227355.tif 000005
【図４】
0003227355.tif 000006
【図５】
0003227355.tif 000007
(57)【要約】      （修正有）【課題】所定区間を表示した直線引きや円形や円弧を描くことを可能にした利便性の優れた長さ測定器を提供する。【解決手段】長さ測定器１００において、目盛部１０１の所定長さ区間ごとに挿通孔２００−０、２００−１〜２００−７を設けて、その直下の被測定紙４００の紙面に区間印又は円形や円弧５００−１〜５００−６を描くことを可能にした。【選択図】図２
0003227317.tif 000002
【実用新案登録請求の範囲】
【請求項１】
長さ測定器において、目盛部の所定長さ区間ごとに挿通孔を設けてその直下面に区間印又は円形や円弧等を描くことを可能にしたことを特徴とする長さ測定器。
【考案の詳細な説明】
【技術分野】
【０００１】  本考案は、目盛部の所定長さ区間ごとに挿通孔を設けてその直下面に印を付すことを可能にした長さ測定器に関する。
【背景技術】
【０００２】一般に、幼児若しくは子供たちが絵などを学習するに当たって、興味をもって頭脳を開発できる多種多様な文房具が開発されてきた。【０００３】しかし例えば直線定規や巻尺等の長さ測定器は、依然として単に従来型の長さ目盛を表示した測定器であり改善が皆無に近い。
【考案の開示】
【考案が解決しようとする課題】
【０００４】  本考案は、直線引きや各種円形を描くことを可能にした利便性の優れた「長さ測定器」を提供するものである。
【課題を解決するための手段】
【０００５】  本考案は、前記した課題に適応する優れた長さ測定器でありその技術的特徴は、次の（１）の通りである。
（１）、長さ測定器において、目盛部の所定長さ区間ごとに挿通孔を設けてその直下面に区間印又は円形や円弧を描くことを可能にしたことを特徴とする長さ測定器。
本考案において長さ測定器とは直線定規や巻尺定規等を言う。
【考案の効果】
【０００６】  本考案は、学習等の文具として或いは実業上活用可能な長さ測定器であるが、目盛部の所定長さ区間例えば１ｍｍ区間毎、５ｃｍ区間毎、１０ｃｍ区間毎等に挿通孔を設けてあるので長さを測定しながら所定長さ単位の表示を挿通孔を通してその直下の被測定面にダイレクトに区間印字することが出来る優れものである。
定規として活用する他に、目盛部の０ｍｍ位置の孔をピン止めし筆記具を各孔に差し込んでピン止めを中心に長さ測定器事態を水平旋回しながら所定区間長さの半径の円形や円弧を台紙等に自由に描くことができる優れものである。
【図面の簡単な説明】
【０００７】
【図１】本考案の長さ測定器の実施例で被測定紙の紙面に表示した測定直線の近傍に５ｃｍ単位で印字した状態を示す平面説明図（１）であり、（２）はその縦断面図である。
【図２】図１に示す長さ測定器（１）と（２）であり、これで被測定紙の紙面に表示した半径５ｃｍごとの円を描いた状態を示す平面図（３）である。
【考案を実施するための態様】
【０００８】  図１（１）と（２）において、長さ測定器１００は、直線を所定長さ描くと共にその所定長さ内の所定区間毎に印を付す直線定規であり、目盛部１０１の０ｃｍから５ｃｍ区間毎に挿通孔２００−０、２００−１〜２００−７を設けてそこから筆記具３００等を挿通してその直下の被測定紙４００の紙面に０位置４００−０からの５ｃｍ区間印、４００−１〜４００−６を順次付すものである。
【０００９】  図２（１）〜（３）は、目盛部１０１の０ｃｍから５ｃｍ区間ごと挿通孔２００−０、２００−１〜２００−７を設けた前記長さ測定定規１００で、（３）に示すように、目盛部１０１の０ｃｍ位置の挿通孔２００−０をピンＰ止めしてこれを中心に長さ測定器１００本体を水平旋回すると共に、各孔２００−０、２００−１〜２００−７に順次筆記具３００等を挿通して被測定紙４００の紙面に半径５ｃｍごとに増径した円５００−１〜５００−６を順次描いていく状態を示す平面図である。
【産業上の利用可能性】
【００１０】  本考案は前述の優れた作用効果を呈する為、一般家庭は勿論小中高学校における図工に、又は各種の測量業界に貢献すること多大なものである。
【符号の説明】
【００１１】  １００：長さ測定器
１０１：目盛部
２００−０、２００−１〜２００−７：挿通孔
３００：筆記具
４００：被測定紙
４００−０：０位置
４００−１〜４００−６：区間印
Ｐ：ピン
５００−１〜５００−６：円形や円弧
【図１】
0003227317.tif 000003
【図２】
0003227317.tif 000004
(57)【要約】      （修正有）【課題】シールド（盾）部分に面剛性の低い極薄い樹脂板を用いても、容易に自立させ強度を持たせた衝立を提供する。【解決手段】面剛性の低い極薄の樹脂板１を用いても、その板の両面に屈曲形状板金具２ａ、２ｂを接合して一体とすることで、フレーム支柱がＨ鋼のフランジのような働きをし合成梁機能が形成され、シールド（盾）部分が低い面剛性のものであってもその自立を補完して強度を保った衝立となるので、極薄い樹脂板１で間仕切り出来、経済的負担も軽く、より大判の樹脂板１を使用しても扱いやすく簡易に設置でき労働的負担も軽くなる。【選択図】図２
0003227320.tif 000002
【実用新案登録請求の範囲】
【請求項１】
シールド（盾）部分である樹脂板に、フレーム支柱となる屈曲形状板金具を樹脂板の両面より接合して一体とすることで合成梁機能を形成する形状を特徴とする衝立。
【考案の詳細な説明】
【技術分野】
【０００１】    本考案は、空間を遮断しウイルス・花粉等の飛散飛沫を防御するのに好適な、簡易に設置できる衝立に関するものである。
【背景技術】
【０００２】    通常、樹脂板製衝立はシールド（盾）部分に自立可能な面剛性のある厚板を用いたり強固なフレーム支柱を使用して、自立をさせまた強度を持たせている。また、シールド（盾）とフレーム支柱の接続のために専用の取付け部品を必要とすることもある。
【考案の概要】
【考案が解決しようとする課題】
【０００３】  空間を遮断しウイルス・花粉等の飛散飛沫を防御する目的で樹脂板を用いた衝立を設置する場合には、シールド（盾）部分に自立可能な面剛性のある厚板を用いることが多く、当然板は大きく厚いほど価格は上がり、遮断したい空間面積を間仕切るには経済的負担が大きい。従って小型の衝立が流通しやすくなり、防御面積を確保するためには小型な衝立の台数を増やすことで対処しさらに費用効率を悪くする。効率よく一度により広い空間を遮断するにはシールド（盾）部分に面積の広い大きな樹脂板を使うことになるが、そのためフレーム支柱には強固な材料を使用する必要性が出て、運搬・設置・撤去などの労働的負担も大きくなる。従って、本考案の衝立を使用して簡易に間仕切りを設置し前述の欠点を解決しようとするものである。
【課題を解決するための手段】
【０００４】    本考案は、面剛性の低い極薄の樹脂板を用いても、その板の両面に屈曲形状板金具を接合して一体とすることで、フレーム支柱がＨ鋼のフランジのような働きをし合成梁機能が形成され、剛性の低いシールド（盾）面であってもその自立を補完して強度を保った衝立となるので、極薄い樹脂板の間仕切りで経済的負担も軽く出来、より大判の樹脂板を使用しても扱いやすく簡易に設置でき労働的負担も軽くなる。【０００５】    また、樹脂板の両面に接合する屈曲形状板金具は、限られた一定サイズの樹脂板を連結させて接合できる形状になっているのでより広い空間の遮断が必要な場面でも小さな樹脂板の使用で足り、運搬・設置・撤去・保管にかかる労働的、経済的、及び時間的負担は軽いものになる。
以上の事から、上述の問題点を解決している。
【考案の効果】
【０００６】前述のように、本考案の衝立は極薄い樹脂板が簡易に設置できるのでウイルス・花粉の飛散飛沫により汚れが付着しても容易にシールド（盾）面の交換をすることで衛生状態を保つことが出来、使い捨て交換できるので経済的にも優れている。【０００７】また、限られた一定サイズの樹脂板であっても連結させて自立させることが出来るので、遮断したい空間面に対してシールド（盾）を縁切ることなく臨機応変に設置できる。【０００８】さらに、極薄い樹脂板を使用することでシールド（盾）面をＲ面形状とすることもでき美観的にも優れる。
【図面の簡単な説明】
【０００９】
【図１】本考案の衝立の側面・正面図である。
【図２】本考案の衝立の構成図である。
【図３】本考案の衝立の断面の平面・立面図である。
【図４】本考案のシールド（盾）部を天井設置の下間仕切りとして設置した場合の図面である。
【考案を実施するための形態】
【００１０】本考案は、シールド（盾）部分に樹脂板１を用いて、その樹脂板１の両面に屈曲形状板金具２ａ・２ｂを接合部材３を用いて接合し一体とすることで、フレーム支柱２がＨ鋼のフランジのような働きをし合成梁機能が形成され剛性の低いシールド（盾）面であってもその自立を補完して強度を保った衝立を形成する。
【００１１】接合部材３には磁石・両面テープ・接着剤などの使用が考えられる。
【００１２】底部構造材４には鉄・ステンレス・粘着テープ等を使用し、フレーム支柱２の底部に溶着または接着し屈曲形状板金具２ａと２ｂが開こうとする応力を支持するものであるが、接合部材３を用いた接合によって既に支持され、応力が小さい場合は省略しても良い。
【００１３】フレーム支柱２に対し接合される樹脂板１は、その位置を左右上下自在に場所を変えて取付けることが出来るので、樹脂板１を２枚並べ揃えて屈曲形状板金具２ａ・２ｂで接合すれば連続してシールド（盾）面を広げることが可能となる。
【００１４】樹脂板１は、その強度が許す限りにおいてフレーム支柱２の上端よりも上に張り出すことが出来る。
【００１５】本考案は、フレーム支柱２の底部を上に向け天井に固定して、下向きに間仕切りを設置することも出来る。
【符号の説明】
【００１６】  １  樹脂板
２  フレーム支柱
３  接合部材
４  底部構造材
【図１】
0003227320.tif 000003
【図２】
0003227320.tif 000004
【図３】
0003227320.tif 000005
【図４】
0003227320.tif 000006
(57)【要約】      （修正有）【課題】たも網を補強することができるたも網補強金具を提供する。【解決手段】ステンレス棒をＵ字形に曲げ、その両方の先端部までをカーブさせた。【選択図】図１
0003227339.tif 000002
【実用新案登録請求の範囲】
【請求項１】
ステンレス棒をＵ字形に曲げ、その両方の先端部までをカーブさせたことを特徴とする、たも網補強金具。
【考案の詳細な説明】
【技術分野】
【０００１】  本考案は、釣具の網に関するものである。
【背景技術】
【０００２】  たも網の網のつけ根は弱く補強するものは殆ど無かった。
【考案の開示】
【考案が解決しようとする課題】
【０００３】  たも網を補強でき、前途の欠点を解決しようとするものである。
【課題を解決するための手段】
【０００４】  本考案は、たも網の側面とつけ根部分にしめつけ問題を解決している。
【考案の効果】
【０００５】  上途の様に、たも網を補強することで魚等を逃がさないことに役立つ。
【考案を実施するための最良の形態】
【０００６】  たも網のつけ根部分と網の両側面を締付ける。
【実施例】
【０００７】  以下、添付図面に従って実施例を説明する。１は、たも網のつけ根部分に締付け、２はたも網の両側面に締付け補強を可能とした。【０００８】  本考案の実施例は、上途の如き構成からなるもので魚等を逃がさなく釣果が上がる。
【図面の簡単な説明】
【０００９】
【図１】正面図
【図２】側面図
【図３】実施例図
【符号の説明】
【００１０】    １  たも網のつけ根に取付部
２  たも網の両側面に取付
【図１】
0003227339.tif 000003
【図２】
0003227339.tif 000004
【図３】
0003227339.tif 000005
(57)【要約】      （修正有）【課題】一つの器具で押し上げ作業と引き上げ作業が簡単にできる草取り器具を提供する。【解決手段】草の根に対して前側から押し上げる器具のフォークと後ろ側から引き上げる器具の熊手を合わせて一体化して、フォークで根を起こして、反転して後ろ側から熊手で引き抜く二つの作業が出来る事を特徴とする草取り器具である。【選択図】図５
0003227331.tif 000002
【実用新案登録請求の範囲】
【請求項１】
前面からの押し上げ器具のフォークと後ろ側からの引き上げ器具の熊手を合わせて一体化して、二つの機能を備えた作業が出来る事を特徴とする草抜き器具である。
【請求項２】
フォークの取り付け位置は作業性の良い上部で爪の曲がりも熊手と同じ方向を特徴とする器具
【考案の詳細な説明】
【先行技術文献】
【０００１】
【特許文献１】特開平９−２８１０１
【考案の概要】
【考案が解決しようとする課題】
【０００２】  草取り作業は、押し上げ器具のフォーク、引き上げ器具の熊手などを使用して、一方向からの作業をしているが、草の根は地中に四方に伸びて根を張り土を固くしている為に草が抜けず時間もかかり、作業負担が大きい。そこで押し上げ器具のフォークと引き上げ器具の熊手を一体化することにより、前後から草の根を起こして、簡単に草抜きができる様になり、前述の欠点を解決することができると考える。
【課題を解決するための手段】
【０００３】  本考案は、押し上げ作業と引き揚げ作業が一つの器具で出来る様に、引き上げ器具の熊手上部付け根部分に押し上げ器具のフォークを平行に取り付ける。それにより手前から地中の根を起こし、反転して後ろ側から根を引き上げて簡単に草を抜き取ることができる。その結果、作業負担が軽減され、作業時間も少なくなり問題を解決することができる。
【考案の効果】
【０００４】    本考案は、一体化してもフォークと熊手が干渉しない位置にある為、フォークだけの作業、熊手だけの作業も従来通り出来る。又、芋ほり、収穫後の野菜や花抜き作業もできる。
【図面の簡単な説明】
【図１】フォーク
【図２】熊手
【図３】フォークと熊手の合体器具
【図４】フォークでの草の根の押し上げ
【図５】熊手による草の根の引き抜き
【考案を実施するための形態】
【０００５】    押し上げ器具のフォークと引き抜き器具の熊手は、器具の作業動作が反対である為、通常動作で合体すると、器具が干渉する。しかしながら熊手上部にフォーク爪の曲がりを同じ方向に取り付けることで、干渉せず両方の作業が可能となる。
【実施例１】
【０００６】    以下添付図面に従って実施例を説明する。図１は押し上げ器具のフォーク、図２は引き上げ器具の熊手、図３はフォークと熊手を上下２枚の鉄板１で挟み込みボルト２でナット３を２箇所固定する。図４は前側から草の根を押し上げて土と根を分離する。図５は後ろ側から熊手で根を引き上げて抜く。
【図１】
0003227331.tif 000003
【図２】
0003227331.tif 000004
【図３】
0003227331.tif 000005
【図４】
0003227331.tif 000006
【図５】
0003227331.tif 000007
【手続補正書】
【提出日】令和1年12月24日(2019.12.24)
【手続補正１】
【補正対象書類名】実用新案登録請求の範囲
【補正対象項目名】全文
【補正方法】変更
【補正の内容】
【実用新案登録請求の範囲】
【請求項１】
草の根や芋に対して前側からの押し上げ器具のフォークと草や芋に対して後ろ側からの引き上げ器具の熊手を合わせて一体化して、フォークで根を起こして、反転して後ろ側から熊手で引き抜く二つの作業が出来る事を特徴とする草取り器具、芋ほり器具。
【請求項２】
フォークの取り付け位置は作業性の良い上部でフォーク爪の曲がりも熊手と同じ方向を特徴とする請求項１に記載の草取り器具、芋ほり器具。
【手続補正書】
【提出日】令和2年4月15日(2020.4.15)
【手続補正２】
【補正対象書類名】実用新案登録請求の範囲
【補正対象項目名】全文
【補正方法】変更
【補正の内容】
【実用新案登録請求の範囲】
【請求項１】
草の根に対して前側からの押し上げ器具のフォークと後ろ側からの引き上げ器具の熊手を合わせて一体化して、フォークで根を起こして、反転して後ろ側から熊手で引き抜く二つの作業が出来る事を特徴とする草取り器具。
【請求項２】
フォークの取り付け位置は作業性の良い上部でフォーク爪の曲がりも熊手と同じ方向を特徴とする請求項１に記載の草取り器具。
(57)【要約】      （修正有）【課題】意匠性に優れた箔押し加工が施されているマスクを提供する。【解決手段】織布または不織布からなる四角形のマスク本体と、マスク本体の対向する２辺に取り付けられた、着用者の顔面にマスク本体を固定するための紐部とを備え、マスク本体に箔押し加工が施されている。これによって、感染症の拡大予防、微粒子の吸引防止などの衛生機能を提供すると同時に、視覚的印象に影響を与える優れた意匠性を有する。【選択図】図１
0003227228.tif 000002
【実用新案登録請求の範囲】
【請求項１】
織布または不織布からなる四角形のマスク本体と、
前記マスク本体の対向する２辺に取り付けられた、着用者の顔面に前記マスク本体を固定するための紐部とを備え、
前記マスク本体に箔押し加工が施されているマスク。
【考案の詳細な説明】
【技術分野】
【０００１】
本考案は、箔押し加工を施したマスクに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
マスクは顔の下側の大部分を覆うため、他人から見た視覚的印象に大きな影響を与える。しかし、一般に流通しているマスクは、白色を中心に少数のカラーバリエーションがある程度で、多くは無地である。すなわち、印象形成に影響を与えるにもかかわらず、意匠性に乏しい製品が大多数である。
【０００５】
特許文献１には、マスク本体の正面部に図柄部が表示されたマスクが開示されている。しかしながら、このマスクでは、図柄部の周縁部を裏面に回り込ませて折りたたむ構造を採用している。すなわち、最外層となる図柄部を単に積層するのではなく、またプリーツを形成するのではなく、周縁部を裏面に折り込むという限定的な形状を有する。
【０００６】
本考案によれば、従来製品と同じ構成を採用しながら、意匠性に優れたマスクを提供することができる。
【先行技術文献】
【特許文献】
【０００７】
【特許文献１】実用新案登録第３１４５４９９号公報
【考案の概要】
【考案が解決しようとする課題】
【０００８】
従来のマスクは、画一的で無個性な製品が大多数であり、一般に意匠性に乏しいものであった。本考案は、従来のマスクと同じ構成を採用しながら、意匠性に優れたマスクを提供することを課題とする。
【課題を解決するための手段】
【０００９】
上記課題を解決するため、本考案は、織布または不織布からなる四角形のマスク本体と、前記マスク本体の対向する２辺に取り付けられた、着用者の顔面に前記マスク本体を固定するための紐部とを備え、前記マスク本体に箔押し加工が施されているマスクを提供する。
【考案の効果】
【００１０】
本考案によるマスクは、マスク本体に箔押し加工を施すことにより、感染症の拡大予防、微粒子の吸引防止などの衛生機能を提供すると同時に、視覚的印象に影響を与える優れた意匠性を提供することができる。
【００１１】
さらに、本考案によるマスクは、裏表の判別が容易になるという利点を有する。マスクは、紐部の接合方法やその形状により、顔面への密着性が裏表で異なる場合がある。また、食事などの際に一時的にマスクを外した場合、裏表の判別が容易でないマスクでは、裏表を誤って着用する懸念がある。微粒子が外表面に蓄積したマスクの裏表を誤って着用すると、避けられたはずの微粒子吸引を引き起こす。本考案によるマスクは、裏表の判別が容易であるため、これらの事態の回避にも有用である。
【００１２】
また、近年では衛生意識の高まりや、感染症の流行などにより、マスクをノベルティとして配布する機会が増加している。本考案によるマスクは、箔押し加工によって、企業名やロゴ、メッセージなどを表示することも可能である。
【図面の簡単な説明】
【００１３】
【図１】本考案のマスクを示す平面図である。
【考案を実施するための形態】
【００１４】
本考案によるマスクは、箔押し加工によって、図形、模様、ロゴ、キャラクター、文字などを含む任意のデザインが、マスク本体に表示される。箔押し加工とは、金属箔や顔料箔を、版を用いて圧力を加え、対象物に熱転写する技法である。金属箔を用いると、金属光沢を有するデザインが転写され、高級感のある加工が得られる。また、顔料箔を用いると、独特の質感を有するデザインが転写され、艶やかで上品な加工が得られる。
【００１５】
本考案によるマスクに用いる織布または不織布は、任意の色または模様を有してもよい。現在流通しているマスクは白色のものが多いが、黒色、ピンク色、水色などのものも存在する。本考案においては、任意の色の織布または不織布に箔押し加工を施してもよい。原料や素材に染色を行った場合、またはこれらが含有する成分によって色や模様を有する場合であっても、同様に箔押し加工を施し、本考案によるマスクを製造することができる。
【００１６】
一実施形態では、本考案によるマスクは、ロール状の原反を引き出しながら箔押し加工を施す工程、箔押しされた原反を含む原反を積層する工程、積層された原反にプリーツの折り目をつける工程、プリーツの折り目がついた原反同士を接着する工程、接着された原反を所定の寸法に切断してマスク本体を形成する工程、および耳にかけるための紐をマスク本体に取り付ける工程によって製造することができる。
【００１７】
別の実施形態では、本考案によるマスクは、ロール状の原反を引き出しながら積層する工程、積層された原反にプリーツの折り目をつける工程、プリーツの折り目がついた原反同士を接着する工程、接着された原反に箔押し加工を施す工程、箔押しされた原反を所定の寸法に切断してマスク本体を形成する工程、および耳にかけるための紐をマスク本体に取り付ける工程によって製造することができる。
【００１８】
さらに別の実施形態では、本考案によるマスクは、ロール状の原反を引き出しながら積層する工程、積層された原反にプリーツの折り目をつける工程、プリーツの折り目がついた原反同士を接着する工程、接着された原反を所定の寸法に切断してマスク本体を形成する工程、マスク本体に箔押し加工を施す工程、および耳にかけるための紐をマスク本体に取り付ける工程によって製造することができる。
【００１９】
なお、本考案は上記の実施形態に限定されるものではなく、本考案の趣旨に基づいて種々変形させることが可能であり、それらを本考案の範囲から排除するものではない。
【図１】
0003227228.tif 000003
(57)【要約】      （修正有）【課題】採光性、断熱保温性、遮音性を有する多目的合布を提供する。【解決手段】二枚の布地Ａ、Ｂの間に無数の独立した空気室を持った気泡緩衝材Ｃを挟み込み周囲を一体的に縫い付けた断熱保温性、遮音性を持った多目的合布であって、適度な大きさに裁断し縫製したものを上衣等の裏側に両面接着テープ等で貼り付けることで着脱簡易な防寒着になる。更に二枚の布地を着色したポリエステルメッシュにすることで、採光性があり且つ紫外線を制限する多目的カーテンとなる。【選択図】図２
0003227205.tif 000002
【実用新案登録請求の範囲】
【請求項１】
二枚の布地の間に多くの独立した空気室のあるプラスティックシートを挟み込んで周囲を一体的に縫い合わせるなどした合布。
【考案の詳細な説明】
【考案の概要】
【０００１】  この考案は、２枚の布地の間に多くの独立した空気室のある素材を挟み込んだ構成の一体的な多目的合布を得ようと言うものです。
【考案の効果】
【０００２】  独立した空気室のある素材として、二枚のプラスティックシートの一方のシートを成型したとき円柱状の突起の中に空気を閉じ込めた気泡緩衝材がありますので、これを二枚の薄地織物に挟み込み、周りを縫い付けて、中に空気を閉じ込めた合布を得る事が出来ます。空気は不良導体で熱は対流によって伝わりますが、気泡緩衝材は分散独立した無数の空気室で構成されており、気泡内の空気の対流が分散し熱の伝導が制限されます。従ってこの様にして得られた合布内には多くの空気が閉じ込められていますが、熱の伝わりにくい素材となります。
更に音も空気中を空気の振動によって伝わります。二枚の布地の間の分散独立した空気室内の空気の振動が無数に分散して、音の伝わりにくい素材となります。なお気泡緩衝材の一例としては、エアキャップ、プチプチ、ミナパック等が包装用として市販されております。【０００３】二枚のポリエステルメッシュの間にプラスティックシートの気泡緩衝材を挟み込み周囲を一体的に縫い付けて、採光性、断熱保温性、遮音性を持った多目的合布を得る事が出来ます。
更にポリエステルメッシュを着色することによって紫外線も制限する多目的カーテンとなります。【０００４】  二枚の布地の間に気泡緩衝材を挟み込み、適度の大きさに裁断し周囲を一体的に縫い合わせ、これを上衣等の裏側（背中、腰等）に両面接着テープ等を用いて張り付けると、簡易な防寒着になります。又これをペットの体に巻き付け、表面に撥水スプレーをかけるとペットが雨の日にも着用できる防寒散歩着になります。
【図面の簡単な説明】
【０００５】
【図１】  本考案の概要を示す概略図である。
【図２】  本考案の断面を示す概略図である。
【図３】  本考案の断面の要部を示す概略図である。
【実施例】
【０００６】  第一図において多目的合布（Ｘ）は、二枚の布地（Ａ）（Ｂ）の間に無数の独立した空気室のあるプラスティックシート（Ｃ）を挟み込んだものです。【０００７】  第二図において多目的合布（Ｘ）の二枚の布地（Ａ）（Ｂ）と、間に挟み込んだ独立した空気室のあるプラスティックシート（Ｃ）はそれぞれの両端耳部において一体的に縫い付けられております。【０００８】  第三図は、多目的合布（Ｘ）の断面の要部を拡大したもので、二枚の布地（Ａ）（Ｂ）に挟み込まれたプラスティックシート（Ｃ）は、無数の独立した空気室（Ｃ１、Ｃ２、Ｃ３、、、Ｃｎ）を持った構造であります。
【図１】
0003227205.tif 000003
【図２】
0003227205.tif 000004
【図３】
0003227205.tif 000005
【手続補正書】
【提出日】令和2年4月10日(2020.4.10)
【手続補正１】
【補正対象書類名】実用新案登録請求の範囲
【補正対象項目名】全文
【補正方法】変更
【補正の内容】
【実用新案登録請求の範囲】
【請求項１】
二枚の布地の間に多くの独立した空気室のあるプラスティックシートを挟み込んで周囲を一体的に縫い合わせる、又は接着した合布。
(57)【要約】      （修正有）【課題】ガラスの破損や熱射を遮ることができるサッシ窓用板戸を提供する。【解決手段】サッシ窓の網戸の代わりに、鋼板や樹脂板などの強度や断熱性の高い板をフレームで挟んだ板戸をサッシ窓にはめ込む。自然災害からのガラスの破損や熱射を遮ることができる。【選択図】図１
0003227289.tif 000002
【実用新案登録請求の範囲】
【請求項１】
鋼板や樹脂板をフレームで挟んだ板戸で、サッシ窓にはめ込むところを特徴とするサッシ窓用板戸。
【考案の詳細な説明】
【技術分野】
【０００１】
本考案は、サッシ窓用板戸に関するものである。
【考案の概要】
【考案が解決しようとする課題】
【０００２】
住宅やマンションなどのガラス窓は、台風や竜巻、熱射といった自然災害からの損傷を受けることが多く、ガラス破損によるケガや熱射による熱射病など人体への影響が大きくなる。従って、サッシ窓に鋼板や樹脂板などの強度や断熱性の高い板を入れた戸を入れることで、ガラスの破損や熱射を遮ることができることで、前述の欠点を解決しようとするものである。
【課題を解決するための手段】
【０００３】
本考案は、サッシ窓の網戸の代わりに、鋼板や樹脂板などの強度や断熱性の高い板を入れた戸をサッシにはめ込むことで、自然災害からのガラスの破損や熱射を遮ることができることで、問題点を解決している。
【考案の効果】
【０００４】
上述の様に、本考案のサッシ窓用板戸は戦争やテロといった人災からの被害からも室内を守ることが可能になり、非常事態での防御としても役立つ。
【図面の簡単な説明】
【０００５】
【図１】本考案のサッシ窓用板戸の正面図である。
【図２】本考案のサッシ窓用板戸の断面図である。
【符号の説明】
【０００６】
１    鋼板や樹脂板
２    フレーム
【図１】
0003227289.tif 000003
【図２】
0003227289.tif 000004